(57)【要約】
【課題】枕への取り付け、取り外しが非常に簡単であり、それでいて枕の大小にかかわらず体裁よくぴったりとフィットさせることができ、また洗濯などの際の取扱いも容易な枕カバーを提供する。
【解決手段】柔軟な布地の対向する２辺の縁部に雄または雌の留め要素を複数個所要の間隔をおいて取り付けたカバー本体と、両端に雌または雄の留め要素を取り付けた複数本の伸縮性ベルトからなっている。
【選択図】図１
0003099225.tif 000002
【実用新案登録請求の範囲】
【請求項１】
　柔軟な布地の対向する２辺の縁部に雄または雌の留め要素を複数個所要の間隔をおいて取り付けたカバー本体と、両端に雌または雄の留め要素を取り付けた複数本の伸縮性ベルトからなっていることを特徴とする枕カバー。
【請求項２】
　伸縮性ベルトは、留め要素を両端に加えて中間に少なくとも１つ有している請求項１に記載の枕カバー。
【請求項３】
　カバー本体がタオル地からなっている請求項１に記載の枕カバー。
【請求項４】
　留め要素がホックからなっている請求項１または２に記載の枕カバー。
【考案の詳細な説明】
【技術分野】
【０００１】
　本考案は枕カバーに関する。
【背景技術】
【０００２】
　枕は安眠のための手段として重要であり、被包体に詰め物として種々の材料を充填したものが利用されているが、被包体に直接頭部を載せて使用した場合には、整髪料や汗などで被包体が汚れ、外観上も衛生上も好ましくない。
【０００３】
　そこで、枕を覆うカバーが汎用されているが、従来の枕カバーは、矩形状をなした木綿などの布地の対向する２つの縁部に紐を取り付けたものが一般的であった。
【０００４】
　しかし、この構造では、枕に装着する時にいちいち両側の紐同士を結縛しなければならず、洗濯などのため取り外す時にも固く結縛した紐を解かなければならないので面倒であり、しかも、枕の大きさにフィットしにくいので使用中に外れやすく、大きな枕にあわせて紐を長めにすると、結縛した余りの紐部分がぶらぶらして体裁も悪い。さらに、洗濯の際に洗濯機の中で紐が他の洗濯物と絡み合って、塊になってしまうこともある。
【考案の開示】
【考案が解決しようとする課題】
【０００５】
　本考案は前記のような問題点を解消するためになされたもので、その目的とするところは、枕への取り付け、取り外しが非常に簡単であり、それでいて枕の大小にかかわらず体裁よくぴったりとフィットさせることができ、また洗濯などの際の取扱いも容易な枕カバーを提供することにある。
【課題を解決するための手段】
【０００６】
　上記目的を達成するため本考案は、柔軟な布地の対向する２辺の縁部に雄または雌の留め要素を複数個所要の間隔をおいて取り付けたカバー本体と、両端に雌または雄の留め要素を取り付けた複数本の伸縮性ベルトからなっていることを特徴としている。
【考案の効果】
【０００７】
　本考案によれば、枕への取り付けは伸縮性ベルトの留め要素をカバー本体の留め要素に合わせるだけでよく、取り外しはその逆の操作をすればよいので非常に簡単であり、伸縮性ベルトがカバー本体の２辺を引張るので、枕にぴったりとフィットさせることができる。
　また、伸縮性ベルトはカバー本体と分離できるので、別のカバー本体に対して使用できるとともに、洗濯の際にはカバー本体が一枚の布の状態になり、他の洗濯物と絡み合うことがなく取扱いも容易であるなどのすぐれた効果が得られる。
【考案を実施するための最良の形態】
【０００８】
　好適には、伸縮性ベルトは、留め要素を両端に加えて中間に少なくとも１つ有している。
　この構成によれば、中間の留め要素をカバー本体の留め要素と係合することによりカバー本体の２辺間の距離が短くなり、全体のカバーの幅が狭くなるので、伸縮性ベルトの伸縮性とあいまって相当な範囲の大きさの枕にぴったりとフィットさせることができる。
【０００９】
　好適には、留め要素がホックからなっている。
　これによれば、着脱が簡単であるとともに伸縮性ベルトが伸縮してもはずれない強固な連結を得ることができる。
【００１０】
　好ましくは、カバー本体はタオル地からなっている。このようにすれば、使用時にがさがさとした音が発生せず、首筋への当たりも柔らかで、また、整髪料や汗などを効果的に吸収することができる。
【実施例１】
【００１１】
　以下添付図面を参照して本考案の実施例を説明する。
　図１ないし図５は本考案による枕カバーの一実施例を示しており、　３、３’は枕本体であり、側３ａに詰め物３ｂを充填している。それらの構造や材料は問わない。
　１は平面矩形状をなしたカバー本体で、柔らかい天然繊維製の布地、好適にはガーゼ地やタオル地からなり、４辺の縁部は他面に折り返されて重合しあい、縁が縫製されている。
【００１２】
　カバー本体１の対向する２辺の縁部１ａ、１ａには、雌または雄の留め要素１０，１０がそれぞれ間隔をあけて少なくとも２箇所に取付けられている。
　留め要素１０は、この例では２パーツの結合型のホック（スナッブボタン）からなり、扁平ボタン状の第１パーツ１００を縁部１ａの表側に位置させ、嵌合リング（または割り突リング）を有する第２パーツ１０１を縁部１ａの内側に配し、縁部１ａに開けた孔内で両パーツ１００，１０１を錨着している。
【００１３】
　２は長手方向で伸縮が可能な所望長さの伸縮性ベルトであり、たとえば平ゴム紐からなり、２つ折して重合し逢着した両端部２ａ、２ａに、雄または雌の留め要素２０，２０が取付けられている。
　前記留め要素２０はこの例では２パーツの結合型のホックからなり、扁平ボタン状の第１パーツ２００を端部２ａの表側に位置させ、円周の半部に割りを入れた突リング（または嵌合リング）を有する第２パーツ２０１を端部２ａの内側に配し、端部２ａに設けた孔内で両パーツ２００，２０１を錨着している。
【００１４】
　さらに、伸縮性ベルト２の中間所要位置に、調整用の雄または雌の留め要素２０’を少なくとも１つ取り付けている。この例では、片側端部２ａにやや偏した位置に取り付けているが、中央位置付近であってもよい。また、この例では１つであるが、２つ以上であってもよい。留め要素２０’の構成は既述したものと同じである。
【００１５】
　本考案は、実施例に限定されない。
１）留め要素２０、２０’は、ベルベットファスナーも使用可能である。しかし、カバー本体１の２辺を簡単、確実に連結でき、それでいて伸縮性ベルトの伸縮性を損なわない点、洗濯してもベルベットファスナーの場合のようにフック状の線条体に糸くずなどが絡み付いて体裁を悪くしたり接合機能低下を招いたりしない点などから、もっともホックが好適である。
２）伸縮性ベルト２は２本に限らずに３本以上であってもよい。
【００１６】
　実施例の枕カバーの使用法と作用を説明すると、カバー本体１の２辺の片側縁部１ａに伸縮性ベルト２を位置させ、片側縁部１ａにある留め要素１０，１０にそれぞれの伸縮性ベルト２、２の一端部２ａに取り付けある留め要素２０、２０を対向させ、上下から押圧して係合連結する。
【００１７】
　この状態で枕３または３’を展開状態のカバー本体１の中央部位に配し、伸縮性ベルト２の自由端側を引張ってカバー本体１の２辺の他側縁部１ａにある留め要素１０，１０に、それぞれの伸縮性ベルト２、２の中間にある留め要素２０’と、一端部２ａに取り付けある留め要素２０を対向させてみる。
　伸縮性ベルト２、２が程よい伸長状態であれば、留め要素１０、２０（または２０’）の部分を上下から押圧してカバー本体１の２辺の他側縁部１ａにある留め要素１０，１０と係合連結すればよく、ほとんどワンタッチでカバー本体１を枕３（３’）に装着できる。
【００１８】
　以上でカバー本体１と伸縮性ベルト２、２とで全体がエンドレス状になる。図１と図２は、伸縮性ベルト２、２が最大長Ｌ１でカバー本体１の対向する２辺間を連結した状態を示しており、カバー本体１が大きな幅寸法Ｗ１となるので、大きな枕３に自在に対応させることができる。
　図３と図４は伸縮性ベルト２、２の中間の留め要素２０’、２０’を使用してカバー本体１の対向する２辺間を連結した状態を示しており、伸縮性ベルト２、２が短縮長Ｌ２であるため、カバー本体１が相対的に小さな幅寸法Ｗ２となり、小さめの枕３’に対応させることができる。
【００１９】
　伸縮性ベルト２、２は伸縮自在であるから、留め要素１０と２０（２０’）の係合位置が枕３、３’の大きさと一致していなくても自動的に寸法が調整され、そして、頭Ｈを載せた重みで枕３、３’が沈み、それによってカバー本体１が引張られても、伸縮性ベルト２、２が追従して伸長するので、カバー本体１にしわがよったりせず、枕３、３’の表面に常にピンと張った状態に装着されるので、体裁がよいものとなり、使用感も良好となる。
　カバー本体１はガーゼやタオル地から構成されているので、がさがさとした音が発生せず、首筋への当たりも柔らかで、また、整髪料や汗などを効果的に吸収することができる。
【００２０】
　カバー本体１が汚れて洗濯をするときにも前記と逆の操作で簡単に枕３、３’から取り外すことができ、さらに留め要素２０，２０（２０’、２０’）をカバー本体１の留め要素１０，１０から離間させることで、カバー本体１と伸縮性ベルト２、２とを分離できる。したがって、カバー本体１を通常のタオルなどと同じように洗濯することができ、紐がついていないので洗濯機内で他の洗濯物と絡み合うようなこともない。
【図面の簡単な説明】
【００２１】
【図１】本考案枕カバーの一実施例を大きな枕に適用した状態で示す背面図である。
【図２】（ａ）は図１のＸ−Ｘ線に沿う断面図、（ｂ）はその一部拡大図である。
【図３】本考案枕カバーの一実施例を小さめな枕に適用した状態で示す背面図である。
【図４】（ａ）は図３のＹ−Ｙ線に沿う断面図、（ｂ）はその一部拡大図である。
【図５】（ａ）は本考案枕カバーの分解状態を示す平面図、（ｂ）はカバー本体の部分的拡大図、（ｃ）は伸縮性ベルトの部分的拡大図である。
【符号の説明】
【００２２】
　１　カバー本体
　１ａ　対向する２辺の縁部
　２　　伸縮性ベルト　
　３、３’　枕　　
　１０、２０，２０’　留め要素
【図１】
0003099225.tif 000003
【図２】
0003099225.tif 000004
【図３】
0003099225.tif 000005
【図４】
0003099225.tif 000006
【図５】
0003099225.tif 000007